(57)【特許請求の範囲】
【請求項１】
原稿載置台上に載置された原稿の画像を読取る画像読取装置において、
原稿載置台上で主走査方向に移動自在な第１移動抑制部材と、
原稿載置台上の全読取領域に渡る第１移動抑制部材の移動位置を検出する第１位置検出手段と、
原稿載置台上で副走査方向に移動自在な第２移動抑制部材と、
原稿載置台上の全読取領域に渡る第２移動抑制部材の移動位置を検出する第２位置検出手段と
を備え、第１及び第２移動抑制部材で原稿載置台上の原稿の移動を抑制し、検出した移動位置に応じた読取領域内の画像を読取るべくなしてあることを特徴とする画像読取装置。
【請求項２】
原稿載置台上に載置された原稿のサイズをサイズ検出手段で検出し、検出したサイズに応じた読取領域内の画像を読取る画像読取装置において、
原稿載置台上で主走査方向に移動自在な第１移動抑制部材と、
原稿載置台上の全読取領域に渡る第１移動抑制部材の移動位置を検出する第１位置検出手段と、
原稿載置台上で副走査方向に移動自在な第２移動抑制部材と、
原稿載置台上の全読取領域に渡る第２移動抑制部材の移動位置を検出する第２位置検出手段と、
検出した移動位置に基づく原稿のサイズ及びサイズ検出手段が検出したサイズのうち小さい方を選択する選択手段と
を備え、第１及び第２移動抑制部材で原稿載置台上の原稿の移動を抑制し、選択したサイズに応じた読取領域内の画像を読取るべくなしてあることを特徴とする画像読取装置。
【請求項３】
前記第１移動抑制部材及び／又は第２移動抑制部材は、前記原稿載置台を囲む外枠に沿って移動すべくなしてあることを特徴とする請求項１又は２記載の画像読取装置。
【請求項４】
前記原稿載置台の外枠には前記第１移動抑制部材及び／又は第２移動抑制部材の退避用エリアが形成されていることを特徴とする請求項３記載の画像読取装置。
【請求項５】
前記第１移動抑制部材及び／又は第２移動抑制部材の原稿載置台と接する面の色は黒色であることを特徴とする請求項１乃至４の何れかに記載の画像読取装置。
【発明の詳細な説明】
【０００１】
【発明の属する技術分野】
本発明は、原稿載置台上に載置された原稿の画像を読取る画像読取装置に関する。
【０００２】
【従来の技術】
画像読取装置として、プラテンカバー等の原稿押え蓋を開けて、載置ガラス等の原稿載置台上に原稿を載置し、載置した原稿の画像を読取るフラットベッドスキャナ（ＦＢＳ）がある。本等の厚みのある原稿の場合はプラテンカバーを開けたまま読取を行うこともあるが、通常は、プラテンカバーを閉じた状態で読取を行う。また、画像読取装置には、Ａ４又はＢ５等の定型サイズを検出するサイズ検出手段が設けられており、例えば原稿がＡ４サイズの場合は、載置ガラス上のＡ４サイズに応じた読取領域の画像を読取る。
【０００３】
コピー機又はファクシミリ装置においては、ＡＤＦ（automatic document feeder ）とＦＢＳとを選択的に使用可能なものが多い。Ａ４用紙又はＢ５用紙等の一般的なシート原稿は、ＡＤＦを用いて読取る場合が多い。一方、本等の厚みがある原稿は、ＡＤＦを使用できないため、ＦＢＳで読取る場合が多い。しかし、シート原稿であっても、複数枚がホッチキスでとじられている等により、ＦＢＳで読取ることがある。
【０００４】
【発明が解決しようとする課題】
特にシート原稿についてＦＢＳを使用する場合、プラテンカバーを閉じるときに、載置ガラス上の原稿に風圧が加わり、原稿の位置がずれることが多々起こる。そのため、読取った原稿が傾いて印刷される等の不都合が生じることが多い。
【０００５】
また、ＦＢＳを使用する場合、厚みがある原稿は勿論、非定型サイズの原稿を読取る場合も多い。しかし、上述したサイズ検出手段は、一般的に定型サイズを検出するように設定されており、非定型サイズの検出は行えない場合が多い。原稿サイズが正確に検出できない場合、原稿載置台上に載置された原稿が存在しない不要な領域の読取りを行うことになる。
【０００６】
本発明は斯かる事情に鑑みてなされたものであり、主走査方向，副走査方向に夫々移動自在な第１，第２移動抑制部材を備えることにより、原稿押え蓋を閉じたときに生じる風圧等による原稿の位置ずれを防止することができる画像読取装置を提供することを目的とする。
【０００７】
また、本発明は、第１，第２移動抑制部材の移動位置を夫々検出する第１，第２位置検出手段を備えることにより、原稿サイズを正確に検出することができる画像読取装置を提供することを他の目的とする。
【０００８】
また、本発明は、従来のサイズ検出手段によって検出された原稿サイズと、第１及び第２位置検出手段で検出したサイズとのうち、小さい方を選択する選択手段を備えることにより、第１及び第２移動抑制部材を読取可能領域外に退避していない場合のサイズ誤検出を防止することができる画像読取装置を提供することを他の目的とする。
【０００９】
【課題を解決するための手段】
第１発明に係る画像読取装置は、原稿載置台上に載置された原稿の画像を読取る画像読取装置において、原稿載置台上で主走査方向に移動自在な第１移動抑制部材と、原稿載置台上の全読取領域に渡る第１移動抑制部材の移動位置を検出する第１位置検出手段と、原稿載置台上で副走査方向に移動自在な第２移動抑制部材と、原稿載置台上の全読取領域に渡る第２移動抑制部材の移動位置を検出する第２位置検出手段とを備え、第１及び第２移動抑制部材で原稿載置台上の原稿の移動を抑制し、検出した移動位置に応じた読取領域内の画像を読取るべくなしてあることを特徴とする。
【００１０】
第１発明においては、第１移動抑制部材を、主走査方向に沿って移動させ、原稿載置台上の原稿の外周部に接する位置に合わせ、静止状態の原稿の主走査方向への移動（位置ずれ）を抑制する。同様に、第２移動抑制部材を、副走査方向に沿って移動させ、原稿載置台上の原稿の外周部に接する位置に合わせ、静止状態の原稿の副走査方向への移動（位置ずれ）を抑制する。原稿載置台上に原稿をコーナー基準で位置決めする場合、第１及び第２移動抑制部材が接する原稿外周部に対向する外周部は、原稿載置台の外枠に接しており、原稿全体の移動が抑制される。そのため、風圧等が加わっても原稿は移動しない。また、第１位置検出手段により、原稿載置台上の全読取領域に渡る第１移動抑制部材の移動位置を検出し、第２位置検出手段により、原稿載置台上の全読取領域に渡る第２移動抑制部材の移動位置を検出する。移動位置は、所定間隔で検出することもできるが、移動位置を微少間隔で連続的に検出することが好ましい。原稿載置台上の不定形の原稿サイズを正確に検出することが可能であり、検出した移動位置から読取領域（原稿存在領域）を特定し、特定した読取領域内の画像を読取る。
【００１３】
第２発明に係る画像読取装置は、原稿載置台上に載置された原稿のサイズをサイズ検出手段で検出し、検出したサイズに応じた読取領域内の画像を読取る画像読取装置において、原稿載置台上で主走査方向に移動自在な第１移動抑制部材と、原稿載置台上の全読取領域に渡る第１移動抑制部材の移動位置を検出する第１位置検出手段と、原稿載置台上で副走査方向に移動自在な第２移動抑制部材と、原稿載置台上の全読取領域に渡る第２移動抑制部材の移動位置を検出する第２位置検出手段と、検出した移動位置に基づく原稿のサイズ及びサイズ検出手段が検出したサイズのうち小さい方を選択する選択手段とを備え、第１及び第２移動抑制部材で原稿載置台上の原稿の移動を抑制し、選択したサイズに応じた読取領域内の画像を読取るべくなしてあることを特徴とする。
【００１４】
第２発明においては、サイズ検出手段で原稿のサイズを検出する。例えば、Ａ４又はＢ５等の定型サイズの原稿端部を検出するように予め設けられたセンサを用いて、原稿サイズを検出する。また、第１発明と同様の第１及び第２移動抑制部材で原稿載置台上の原稿の移動を抑制し、第１発明と同様の第１，第２位置検出手段で夫々第１，第２移動抑制部材の移動位置を検出する。選択手段により、第１，第２位置検出手段で検出した移動位置に応じた原稿のサイズ及びサイズ検出手段が検出したサイズのうち小さい方を選択する。選択したサイズから読取領域を特定し、特定した読取領域内の画像を読取る。
第３発明に係る画像読取装置は、第１又は第２発明において、前記第１移動抑制部材及び／又は第２移動抑制部材は、前記原稿載置台を囲む外枠に沿って移動すべくなしてあることを特徴とする。
第４発明に係る画像読取装置は、第３発明において、前記原稿載置台の外枠には前記第１移動抑制部材及び／又は第２移動抑制部材の退避用エリアが形成されていることを特徴とする。
第５発明に係る画像読取装置は、第１乃至第４発明の何れかにおいて、前記第１移動抑制部材及び／又は第２移動抑制部材の原稿載置台と接する面の色は黒色であることを特徴とする。
【００１５】
【発明の実施の形態】
以下、本発明をその実施の形態を示す図面に基づいて具体的に説明する。
本説明においては、コピー機の機能を備え、原稿コピー及びファクシミリ送受信が行えるファクシミリ装置を例にして説明する。
【００１６】
（第１の実施の形態）
図１に本発明に係る画像読取装置を備えたファクシミリ装置の例を示す。ファクシミリ装置は、制御部（ＣＰＵ：Central Processing Unit ）１と、原稿を読取る読取部２と、ファクシミリ通信が可能なモデム（ファックスモデム）９と、公衆電話回線網等のアナログ回線Ｌとの閉結及び開放を制御するＮＣＵ（Network Control Unit）１０と、ファクシミリ受信画像又は読取部２で読取った原稿画像を用紙に記録する記録部３と、ファクシミリ装置の操作に使用する各種キーを備える操作部５と、ファクシミリ装置の動作状態又は操作部５から入力された文字等を表示する表示部４と、ファクシミリ装置の動作に必要な種々のプログラム及びデータが記憶されるＲＯＭ（Read Only Memory）６と、プログラムの実行時に発生する一時的なデータ等を記憶するＲＡＭ（Random Access Memory）７と、読取部２で読取った原稿画像又はファクシミリ受信画像等を記憶する画像メモリ８と、画像データを符号化又は復号化するＣＯＤＥＣ１１とを備える。
【００１７】
上述したハードウェア各部（１〜１１）は、バス１２に接続されており、ＣＰＵ１によって制御される。ＣＰＵ１は、ＲＯＭ６に記憶されたコンピュータプログラムを読出して、種々の機能を実行する。
【００１８】
読取部２の例を図２及び図３に示す。図２及び図３の例では、読取部２は、直方体型の筐体２６と、筐体２６上面の一辺に開閉自在に取付けられたプラテンカバー（原稿押え蓋）２０と、筐体２６上面に設けられた長方形型の載置ガラス（原稿載置台）２２と、載置ガラス２２上で主走査方向（ｘ方向）に沿って自在に移動することができ、載置ガラス２２上の原稿外周部に接する位置に移動させた場合、原稿の主走査方向への移動を抑制する第１移動抑制部材３０と、載置ガラス２２上を主走査方向と直交する副走査方向（ｙ方向）に沿って自在に移動することができ、載置ガラス２２上の原稿外周部に接する位置に移動させた場合、原稿の副走査方向への移動を抑制する第２移動抑制部材３２とを備える。
【００１９】
原稿４０は、図３に示す三角形のマーク２４ａが設けられたコーナ部を基準にして載置ガラス２２上に載置する。第１移動抑制部材３０及び第２移動抑制部材３２は、マーク２４ａが設けられたコーナを挟む外枠２４の２辺に夫々沿って個別に移動する。以下、第１移動抑制部材３０及び第２移動抑制部材３２を、まとめて移動抑制部材３０，３２と記載する場合もある。
【００２０】
読取部２は、ＡＤＦ（automatic document feeder ）方式及びＦＢＳ（flat bed scanner）方式の読取が可能である。ＡＤＦ方式で原稿を読取る場合は、プラテンカバー２０を閉じて、プラテンカバー２０上の図示しない原稿セット部に原稿束をセットし、１枚ずつ原稿を分離して取り込みながら読取を行う。ＦＢＳ方式で原稿を読取る場合は、プラテンカバー２０を開けて原稿を載置ガラス２２上に載置し、プラテンカバー２０を閉じて、載置ガラス２２上に原稿が静止した状態で読取を行う。ただし、本等の厚みのある原稿の場合は、プラテンカバー２０を開けたまま又は完全に閉じ切らない状態で読取を行う。
【００２１】
筐体２６内には、図示していないが、読取部２を構成する部材として、載置ガラス２２上に載置された原稿に光を照射する光源と、原稿からの反射光の光路を変更するミラーと、前記光源及びミラーを移動させる移動機構と、光電変換素子を主走査方向に多数並べ、集光レンズを通してミラーからの光が入射されるＣＣＤ（charge coupled device ）ラインセンサ等の撮像素子とを有する。このような構成により、光源等を搭載したキャリッジ（図示しない）を副走査方向に移動させながら、主走査方向を長手方向とするＣＣＤラインセンサ（主走査方向と平行に配置されたＣＣＤラインセンサ）により１ラインずつ原稿画像の読取を行う。ＣＣＤで読取った画像は、ＣＰＵ１により、画像メモリ８に記憶される。
【００２２】
また、筐体２６内には、図３に示すように、フォトダイオード、フォトトランジスタ又はＣＣＤ等のセンサを用いて載置ガラス２２上の原稿幅（主走査方向の長さ）を検出する幅センサ４２と、原稿長さ（副走査方向の長さ）を検出する長さセンサ４４とが設けられている。図３の例では、幅センサ４２として、読取部２を構成する読取用のＣＣＤラインセンサを用いており、長さセンサ４４として、ｙ方向に沿って配置された複数の光電式センサを用いている。長さセンサ４４は、Ａ４又はＢ５等の定型の原稿端部の有無を検出できるように配置されている。また、幅センサ４２も、Ｂ５〜Ａ３等の所定サイズ範囲の原稿端部の有無を検出できるように配置されている。
【００２３】
筐体２６上面の外枠２４のプラテンカバー２０取付部近傍には、プラテンカバー２０と外枠２４とがなす角度θが所定角度以下となったことを検出する検出器２８が設けられている。検出器２８は、押し込み型の自動復帰スイッチ等を用いており、プラテンカバー２０を閉じる途中で検出器２８が押下された場合、検出器２８からＣＰＵ１に検出信号が送られ、ＣＰＵ１は、前記光源を発光させる。
【００２４】
プラテンカバー２０を閉じる途中で検出器２８が押下された場合に光源が発光し、幅センサ４２及び長さセンサ４４が原稿幅及び原稿長さを検出し、検出信号がＣＰＵ１に送られる。ただし、幅センサ４２及び長さセンサ４４で検出できる原稿サイズは、定型又は定型に近いサイズに限定される。ＣＰＵ１は、検出信号に基づいて原稿幅及び原稿長さを求めて、ＲＡＭ７に記憶する。
【００２５】
移動抑制部材３０，３２の例を図４（ａ）に示す。移動抑制部材３０，３２は、長平板をＬ字型に折り曲げた形状をしており、外枠２４に設けられた主走査方向又は副走査方向に沿うように形成されたＬ字型の溝に、スライド自在に嵌入されている。載置ガラス２２を基準にした移動抑制部材３０，３２の高さＨ１は、プラテンカバー２０が閉じるように、載置ガラス２２を基準にした外枠２４の高さＨ０よりも低くなっている。また、移動抑制部材３０，３２の載置ガラス２２と接する面は、ＣＣＤを使った原稿の読取りを行った際に、原稿（白色）と区別できるように例えば黒色になっている。そのため、移動抑制部材３０，３２を原稿と誤認識することを防止できる。
【００２６】
移動抑制部材３０，３２の移動位置は、移動抑制部材３０，３２の移動に応じた抵抗値の変化等に基づいて検出したり、移動抑制部材３０，３２の移動に応じたプーリの回転等に基づいて検出することが可能である。例えば、図４（ｂ）に示すように、端子Ａ−Ｂを両端とする可変抵抗の可動端子Ｃを、移動抑制部材３０，３２の移動と連動させて移動させることにより、端子Ａ−Ｃ間又は端子Ｂ−Ｃ間の抵抗値の変化に基づいて、移動抑制部材３０，３２の移動位置を検出することが可能である。抵抗値の検出信号は、ＣＰＵ１に送られ、例えばＲＯＭ６に記憶されている変換テーブルに基づいて、抵抗値に応じた原稿幅又は原稿長さを取得し、ＲＡＭ７に記憶する。この場合、可変抵抗とＣＰＵ１とは、移動抑制部材３０，３２の位置を検出する手段として動作し、読取可能領域全体に渡り連続的に原稿サイズを検出する。
【００２７】
あるいは、図４（ｃ）に示すように、左右一対のプーリ５２と、プーリ５２間に掛装され、移動抑制部材３０，３２の移動に伴なってプーリ５２を回転させるベルト５０と、プーリ５２の回転角度を検出するロータリエンコーダ（図示していない）とを設けることにより、移動抑制部材３０，３２の移動によってプーリ５２が回転し、プーリ５２の回転角度から移動位置を検出することが可能である。回転角度の検出信号は、ＣＰＵ１に送られ、例えばＲＯＭ６に記憶されている変換テーブルに基づいて、回転角度に応じた原稿幅又は原稿長さを取得し、ＲＡＭ７に記憶する。この場合、プーリ５２、ベルト５０及びロータリエンコーダとＣＰＵ１とは、移動抑制部材３０，３２の位置を検出する手段として動作し、読取可能領域全体に渡り連続的に原稿サイズを検出する。
【００２８】
また、図５に示すように、載置ガラス２２上の読取可能領域２２ａは、外枠２４よりも小さい場合が殆どである。最大サイズの原稿の読取を行う場合に、移動抑制部材３０，３２を読取可能領域２２ａ外に移動させた場合、移動抑制部材３０，３２は原稿の読取に影響を与えない。読取可能領域２２ａが外枠２４と同じ大きさの場合は、例えば図６に示すように、外枠２４に、移動抑制部材３０，３２の退避用エリアを形成しておく。
【００２９】
また、ＣＰＵ１は、幅センサ４２及び長さセンサ４４に基づく原稿サイズと、移動抑制部材３０，３２の移動位置に基づく原稿サイズのうち、小さい方を選択する手段として動作する。ただし、移動抑制部材３０，３２が退避されている場合、ＣＰＵ１は、幅センサ４２及び長さセンサ４４に基づく原稿サイズを用いて読取領域を設定する。
【００３０】
第１移動抑制部材３０の長さＬ１を、図７に示すように、外枠２４から幅センサ４２による幅検知位置までの距離Ｌ０よりも短くした場合、第１移動抑制部材３０の移動位置が幅センサ４２のサイズ検出に影響を与えなくなる。同様に、第２移動抑制部材３２の長さＤ１を、外枠２４から長さセンサ４４による長さ検出位置までの距離Ｄ０よりも短くした場合、第２移動抑制部材３２の移動位置が長さセンサ４４のサイズ検出に影響を与えなくなる。この場合、移動抑制部材３０，３２の載置ガラス２２と接する面を白色にすることが可能である。なお、本例では、上述したように、幅センサ４２として読取用のＣＣＤラインセンサを兼用しているため、幅検知位置とは、読取用のＣＣＤラインセンサを使って幅検知を行う際の光源の照射位置である。従って、長さＬ１を距離Ｌ０よりも短くするとは、幅検知を行う際、外枠２４から長さＬ１よりも離れた位置を光源が照射するようにキャリッジの位置制御を行うことである。
【００３１】
また、第１移動抑制部材３０の長さＬ１及び第２移動抑制部材３２の長さＤ１は、はがきサイズの原稿に合わせて移動させたときの相互干渉を防止するために、はがきの縦及び横の長さよりもそれぞれ短くすることが好ましい。
【００３２】
次に、本発明に係る画像読取装置を用いた原稿の読取について説明する。操作者は、プラテンカバー２０を開けて、マーク２４ａを基準にして原稿４０を載置ガラス２２上に載置する。原稿４０の載置後、移動抑制部材３０，３２を原稿４０の外周部に接する位置に移動させる。原稿４０が分厚くない場合は、プラテンカバー２０を閉じる。このとき、載置ガラス２２上の原稿４０は、移動抑制部材３０，３２によって移動が抑制されているので、位置ずれが生じない。
【００３３】
プラテンカバー２０を閉じる途中で、検出器２８が押下され、ＣＰＵ１により、光源を発光すると共に、幅センサ４２及び長さセンサ４４から出力された検出信号に基づいて原稿サイズを特定し、ＲＡＭ７に記憶する。また、ＣＰＵ１により、移動抑制部材３０，３２の移動位置を検出し、ＲＡＭ７に記憶する。ＣＰＵ１は、幅センサ４２及び長さセンサ４４に基づく原稿サイズと、移動抑制部材３０，３２に基づく原稿サイズのうち、小さい方を選択する。
【００３４】
原稿サイズの選択手順の例を図８に示す。ＣＰＵ１により、第１移動抑制部材３０が読取可能領域外に退避されているか否かを判定する（Ｓ１０）。退避されている場合（Ｓ１０：ＹＥＳ）は、ＣＰＵ１により、幅センサ４２に基づく原稿幅を選択する（Ｓ１４）。退避されていない場合（Ｓ１０：ＮＯ）は、ＣＰＵ１により、幅センサ４２に基づく原稿幅と第１移動抑制部材３０に基づく原稿幅との大小を比較する（Ｓ１２）。幅センサ４２に基づく原稿幅の方が小さい場合（Ｓ１２：ＹＥＳ）は、ＣＰＵ１により、幅センサ４２に基づく原稿幅を選択（Ｓ１４）し、第１移動抑制部材３０に基づく原稿幅の方が小さい場合（Ｓ１２：ＮＯ）は、第１移動抑制部材３０に基づく原稿幅を選択する（Ｓ１６）。原稿長さの選択（Ｓ１８，Ｓ２０，Ｓ２２，Ｓ２４）も、原稿幅の選択（Ｓ１０，Ｓ１２，Ｓ１４，Ｓ１６）と同様に行う。
【００３５】
ＣＰＵ１により、選択された原稿サイズに対応する読取領域内の画像を読取るように読取部２を制御すると共に、例えば、記録部３を制御して、読取った画像を用紙に記録させる。
【００３６】
上述した実施の形態においては、幅センサ４２及び長さセンサ４４に基づく原稿サイズと、移動抑制部材３０，３２に基づく原稿サイズとの何れかを選択したが、選択をする／しないを操作部５により切換え自在とし、選択をしない場合は、移動抑制部材３０，３２に基づく原稿サイズに基づいて読取り領域を設定することが可能である。また、実施の形態では、幅センサ４２として、読取用のＣＣＤラインセンサを使用する例を示したが、読取用のＣＣＤラインセンサとは別個に幅検知用のＣＣＤラインセンサ又はその他の光電式センサを配置することもできる。
【００３７】
また、移動抑制部材３０，３２の位置を検出する第１及び第２位置検出手段は、図４（ｂ）に示した可変抵抗及びＣＰＵ１、または図４（ｃ）に示したプーリ５２、ベルト５０、ロータリエンコーダ（図示していない）及びＣＰＵ１に限定はされず、任意の位置検出手段を用いることが可能である。
【００３８】
【発明の効果】
第１発明によれば、原稿の移動を第１及び第２移動抑制部材で抑制することにより、原稿押え蓋を閉じるときに生じる風圧等による原稿の位置ずれを防止することができる。また、第１、第２位置検出手段で夫々第１、第２移動抑制部材の移動位置を検出することにより、原稿サイズを正確に検出し、原稿サイズに応じた読取領域の画像を読取ることができる。これにより、例えば、本等の厚みのある原稿を原稿押え蓋を開けたまま又は完全に閉じ切らない状態で読取った場合に、原稿部分だけを読取ることにより、端部が真っ黒に印刷されることを防止できる。
【００４０】
第２発明によれば、従来から用いられているサイズ検出手段によって検出された原稿サイズと、第１及び第２位置検出手段で検出したサイズとのうち小さい方を選択手段で選択することにより、第１及び第２移動抑制部材を読取可能領域外に退避していない場合のサイズ誤検出を防止することができる。例えば、Ａ４サイズの位置に第１及び第２移動抑制部材が位置した状態で、Ｂ５サイズの原稿を読取る場合は、サイズ検出手段で検出されたＢ５サイズが選択される。
【図面の簡単な説明】
【図１】本発明に係る画像読取装置の例を示すブロック図である。
【図２】読取部の一部分を示す斜視図である。
【図３】読取部の一部分を示す平面図である。
【図４】（ａ）は移動抑制部材の例を示す図であり、（ｂ）及び（ｃ）は移動抑制部材の位置検出の例を示す図である。
【図５】読取部の一部分を示す平面図である。
【図６】読取部の一部分を示す平面図である。
【図７】読取部の一部分を示す平面図である。
【図８】原稿サイズの選択手順の例を示すフローチャートである。
【符号の説明】
１  ＣＰＵ（選択手段）
２  読取部
３０  第１移動抑制部材
３２  第２移動抑制部材
４２  幅センサ（サイズ検出手段）
４４  長さセンサ（サイズ検出手段）
【図１】
0003724460.tif 000002
【図２】
0003724460.tif 000003
【図３】
0003724460.tif 000004
【図４】
0003724460.tif 000005
【図５】
0003724460.tif 000006
【図６】
0003724460.tif 000007
【図７】
0003724460.tif 000008
【図８】
0003724460.tif 000009